(57)【特許請求の範囲】
【請求項１】
交流電源を直流電圧に変換する直流電源と、
上記直流電源から供給される直流を高周波電流に変換するインバータ回路と、
上記インバータ回路の発振を制御するインバータ制御回路と、
上記インバータ回路に接続され、チョークコイル及び結合コンデンサを介して放電灯に上記高周波電流を供給し、点灯に供される上記放電灯に並列に接続される始動用コンデンサ及びフィラメント検出抵抗とを有する負荷回路と、
上記放電灯の状態を検出し、上記放電灯が異常であるときは、異常ランプ検出信号を出力する異常ランプ検出部と、
上記負荷回路の上記結合コンデンサに接続され、上記インバータ回路が発振停止しているときに上記結合コンデンサに充電されている電位に基づいてランプ装着／ランプ未装着を検出するランプ検出部と、
上記異常ランプ検出部と上記ランプ検出部が出力する信号を入力し、上記異常ランプ検出信号が入力されると、上記インバータ回路の発振周波数を点灯周波数よりも高い周波数に遷移させる発振周波数変更信号を上記インバータ制御回路に所定時間出力した後、上記インバータ回路の発振を停止する発振停止信号を上記インバータ制御回路に出力し続けるとともに、上記インバータ回路が発振停止しているときに、上記ランプ検出部がランプ未装着を検出してから、再び上記ランプ検出部がランプ装着を検出したときは、他の放電灯が装着されたと判別して、上記インバータ回路の発振を開始させる発振開始信号を上記インバータ制御回路に出力して上記インバータ回路の発振停止状態を解除する判別部と、を備え、
上記所定時間は、上記負荷回路に上記放電灯が装着されていることを上記ランプ検出部が検出できるレベルまで上記結合コンデンサが充電される時間とすることを特徴とする放電灯点灯装置。
【請求項２】
交流電源を直流電圧に変換する直流電源と、
上記直流電源から供給される直流を高周波電流に変換するインバータ回路と、
上記インバータ回路の発振を制御するインバータ制御回路と、
上記インバータ回路に接続され、チョークコイル及び結合コンデンサを介して放電灯に上記高周波電流を供給し、点灯に供される上記放電灯に並列に接続される始動用コンデンサ及びフィラメント検出抵抗とを有する負荷回路と、
上記放電灯の状態を検出し、上記放電灯が異常であるときは、異常ランプ検出信号を出力する異常ランプ検出部と、
上記負荷回路の上記結合コンデンサに接続され、上記インバータ回路が発振停止しているときに上記結合コンデンサに充電されている電位に基づいてランプ装着／ランプ未装着を検出するランプ検出部と、
上記異常ランプ検出部と上記ランプ検出部が出力する信号を入力し、上記異常ランプ検出信号が入力されると、上記インバータ回路の発振周波数を点灯周波数よりも高い周波数に遷移させる発振周波数変更信号を上記インバータ制御回路に所定時間出力した後、上記インバータ回路の発振を停止する発振停止信号を上記インバータ制御回路に出力し続けるとともに、上記インバータ回路が発振停止しているときに、上記ランプ検出部がランプ未装着を検出してから、再び上記ランプ検出部がランプ装着を検出したときは、他の放電灯が装着されたと判別して、上記インバータ回路の発振を開始させる発振開始信号を上記インバータ制御回路に出力して上記インバータ回路の発振停止状態を解除する判別部と、を備え、
上記判別部は、上記ランプ検出部の検出状態をモニタリングするとともに、モニタリングした検出状態がランプ未装着からランプ装着に変化するときを上記所定時間とすることを特徴とする放電灯点灯装置。
【請求項３】
上記点灯周波数より高い周波数は、上記放電灯が立ち消える周波数であることを特徴とする請求項１又は２記載の放電灯点灯装置。
【請求項４】
交流電源を直流電圧に変換する直流電源と、
上記直流電源から供給される直流を高周波電流に変換するインバータ回路と、
上記インバータ回路の発振を制御するインバータ制御回路と、
上記インバータ回路に接続され、チョークコイル及び結合コンデンサを介して放電灯に上記高周波電流を供給し、点灯に供される上記放電灯に並列に接続される始動用コンデンサ及びフィラメント検出抵抗とを有する負荷回路と、
上記放電灯の状態を検出し、上記放電灯が異常であるときは、異常ランプ検出信号を出力する異常ランプ検出部と、
上記負荷回路の上記結合コンデンサに接続され、上記インバータ回路が発振停止しているときに上記結合コンデンサに充電されている電位に基づいてランプ装着／ランプ未装着を検出するランプ検出部と、
上記異常ランプ検出部と上記ランプ検出部が出力する信号を入力し、上記異常ランプ検出信号が入力されると、上記結合コンデンサに充電される電圧が上昇する方向に上記インバータ回路が発振するＤＵＴＹ比を変更するＤＵＴＹ比変更信号を上記インバータ制御回路に所定時間出力した後、上記インバータ回路の発振を停止する発振停止信号を上記インバータ制御回路に出力し続けるとともに、上記インバータ回路が発振停止しているときに、上記ランプ検出部がランプ未装着を検出後、再び上記ランプ検出部がランプ装着を検出したときは、他の放電灯が装着されたと判別して、上記インバータ回路の発振を開始させる発振開始信号を上記インバータ制御回路に出力して上記インバータ回路の発振停止状態を解除する判別部と、を備え、
上記所定時間は、上記負荷回路に上記放電灯が装着されていることを上記ランプ検出部が検出できるレベルまで、上記結合コンデンサが充電される時間とすることを特徴とする放電灯点灯装置。
【請求項５】
交流電源を直流電圧に変換する直流電源と、
上記直流電源から供給される直流を高周波電流に変換するインバータ回路と、
上記インバータ回路の発振を制御するインバータ制御回路と、
上記インバータ回路に接続され、チョークコイル及び結合コンデンサを介して放電灯に上記高周波電流を供給し、点灯に供される上記放電灯に並列に接続される始動用コンデンサ及びフィラメント検出抵抗とを有する負荷回路と、
上記放電灯の状態を検出し、上記放電灯が異常であるときは、異常ランプ検出信号を出力する異常ランプ検出部と、
上記負荷回路の上記結合コンデンサに接続され、上記インバータ回路が発振停止しているときに上記結合コンデンサに充電されている電位に基づいてランプ装着／ランプ未装着を検出するランプ検出部と、
上記異常ランプ検出部と上記ランプ検出部が出力する信号を入力し、上記異常ランプ検出信号が入力されると、上記結合コンデンサに充電される電圧が上昇する方向に上記インバータ回路が発振するＤＵＴＹ比を変更するＤＵＴＹ比変更信号を上記インバータ制御回路に所定時間出力した後、上記インバータ回路の発振を停止する発振停止信号を上記インバータ制御回路に出力し続けるとともに、上記インバータ回路が発振停止しているときに、上記ランプ検出部がランプ未装着を検出後、再び上記ランプ検出部がランプ装着を検出したときは、他の放電灯が装着されたと判別して、上記インバータ回路の発振を開始させる発振開始信号を上記インバータ制御回路に出力して上記インバータ回路の発振停止状態を解除する判別部と、を備え、
上記判別部は、上記ランプ検出部の検出状態をモニタリングするとともに、モニタリングした検出状態がランプ未装着からランプ装着に変化するときを上記所定時間とすることを特徴とする放電灯点灯装置。
【請求項６】
請求項１乃至請求項５のいずれかに記載の放電灯点灯装置と、
上記放電灯が取り付けられるとともに、上記放電灯点灯装置から供給される電力を上記放電灯に給電するランプソケットと、
を備えることを特徴とする照明器具。
【発明の詳細な説明】
【技術分野】
【０００１】
本発明は、ランプが寿命になったときにインバータ回路を制御する技術に関するものである。
【背景技術】
【０００２】
放電灯点灯装置のランプ接続検出回路には、直流カット用コンデンサ（本発明では、結合コンデンサという。）に発生する電圧を検出するものが用いられてきた。（例えば、特許文献１参照）
【特許文献１】特開平１１−２７３８８４号公報
【発明の開示】
【発明が解決しようとする課題】
【０００３】
しかしながら、従来の放電灯の寿命末期時の保護回路の動作では、放電灯の寿命末期を検出すると、インバータ回路の発振が停止してしまうため、ランプ接続検出回路には放電灯が装着されていないと判断してしまう場合があり、直流カット用コンデンサが充電されることにより放電灯が交換されたと誤認識して、再度放電灯を点灯させる動作を開始してしまう恐れがあった。
【０００４】
本発明は、例えば、放電灯が寿命末期の時に、放電灯が接続されている状態を検出してから、インバータ回路の発振を停止させることを目的とする。また、本発明は、例えば、放電灯が寿命末期の時に、インバータ回路の発振が停止した後に確実に放電灯が交換されたことを検出して、放電灯を再度点灯させることを目的とする。
【課題を解決するための手段】
【０００５】
本発明に係る放電灯点灯装置は、交流電源を直流電圧に変換する直流電源と、上記直流電源から供給される直流を高周波電流に変換するインバータ回路と、上記インバータ回路の発振を制御するインバータ制御回路と、上記インバータ回路に接続され、チョークコイル及び結合コンデンサを介して放電灯に上記高周波電流を供給し、点灯に供される上記放電灯に並列に接続される始動用コンデンサ及びフィラメント検出抵抗とを有する負荷回路と、上記放電灯の状態を検出し、上記放電灯が異常であるときは、異常ランプ検出信号を出力する異常ランプ検出部と、上記負荷回路の上記結合コンデンサに接続され、上記インバータ回路が発振停止しているときに上記結合コンデンサに充電されている直流電圧に基づいてランプ装着／ランプ未装着を検出するランプ検出部と、上記異常ランプ検出部と上記ランプ検出部が出力する信号を入力し、上記異常ランプ検出信号が入力されると、上記インバータ回路の発振周波数を点灯周波数よりも高い周波数に遷移させる発振周波数変更信号を上記インバータ制御回路に所定時間出力し、上記インバータ回路の発振を停止する発振停止信号を上記インバータ制御回路に出力し続けるとともに、上記インバータ回路が発振停止しているときに、上記ランプ検出部がランプ未装着を検出してから、再び上記ランプ検出部がランプ装着を検出したときは、他の放電灯が装着されたと判別して、前記インバータ回路の発振を開始させる発振開始信号を上記インバータ制御回路に出力して前記インバータ回路の発振停止状態を解除する判別部と、を備えることを特徴とする。
【発明の効果】
【０００６】
本発明によれば、放電灯の異常を検出したとき、放電灯が装着されているのを検出できるレベルに達してからインバータ回路の発振を停止するようにしたので、異常ランプを検出したときに結合コンデンサに充電されている電位が低い場合であっても、誤動作なくランプ交換リセット機能を動作させることができる。
【発明を実施するための最良の形態】
【０００７】
実施の形態１．
図１は、本実施の形態を示す照明器具の斜視図である。
照明器具１は、反射板２と、反射板２の長手方向端部に取り付けられるランプソケット３と、ランプソケット３に取り付けられる放電灯４と、反射板２の内側に取り付けられ、放電灯４に電力を供給する放電灯点灯装置５（図示しない）とを備えている。
【０００８】
図２は、本実施の形態を示す点灯装置の回路ブロック図である。
放電灯点灯装置５は、商用電源ＡＣが入力され、入力される交流電圧を整流するダイオードブリッジＤＢからなる整流回路１１と、整流回路１１で整流された直流電圧を昇圧して平滑コンデンサＣ３に充電するアクティブフィルタ回路１２と、スイッチング素子であるＦＥＴ  Ｑ２、Ｑ３を有し、このＦＥＴ  Ｑ２、Ｑ３をスイッチングしてアクティブフィルタ回路１２で昇圧した直流電圧を高周波電流に変換するインバータ回路１３と、インダクタＬ２と結合コンデンサＣ４を有し、このインダクタＬ５及び結合コンデンサＣ４を介して、高周波電流に変換した電流を放電灯４に供給する負荷回路１４を備えている。
【０００９】
アクティブフィルタ回路１２は、電源電圧波形に沿ってスイッチングを行うことにより、電源電圧を所定の直流電圧に昇圧すると共に入力電流波形を整形して力率を改善する回路である。
【００１０】
負荷回路１４は、さらに放電灯４に並列に接続されるように始動用コンデンサＣ５とフィラメント検出抵抗Ｒ１２とを備えており、始動用コンデンサＣ５とインダクタＬ２の共振により、放電灯４の放電を開始させる電圧を発生させる。放電灯４が放電開始後、負荷回路部は、インダクタＬ２およびコンデンサＣ５の共振により、放電灯４を点灯させる。
【００１１】
インバータ制御部１５は、制限抵抗Ｒ１０、Ｒ１１を介してＦＥＴ  Ｑ２、Ｑ３に電圧を印加してＦＥＴ  Ｑ２、Ｑ３を交互にスイッチングするとともに発振周波数を制御するインバータ制御回路２１と、インバータ制御回路２１を動作させる制御電源を生成する制御電源部２２と、インバータ制御回路２１に発振信号または発振停止信号を出力してインバータ回路１３の発振を制御する判定部２３を備えている。
【００１２】
インバータ制御回路２１は、例えば、汎用ドライブＩＣ（ＩＲ社製ＩＲ２１５３など）を用いて、インバータ回路の発振周波数を制御するものである。
【００１３】
制御電源部２２は、整流回路１１の出力端子に接続され、整流回路１１が出力する電圧を降圧して制御回路用の制御電源を生成し、インバータ制御回路２１などの制御回路に電源を供給する回路である。
【００１４】
また、アクティブフィルタ回路１２の高電位側に接続されているＦＥＴ  Ｑ２のドレイン−ソース間に対して並列に抵抗Ｒ１３が接続されており、インバータ回路１３が発振していないときは、この抵抗Ｒ１３を介して、インダクタＬ２、放電灯の一方のフィラメントＦ１、フィラメント抵抗Ｒ１２、放電灯の他方のフィラメントＦ２に電流が流れ、結合コンデンサＣ４を充電する。
【００１５】
ランプ検出部２４は、放電灯４の有無を判断するもので、この結合コンデンサＣ４に充電された電圧を検出して、放電灯４が接続されている場合にはＨレベルの信号が、放電灯４が接続されていない場合にはＬレベルの信号が検出され、放電灯４の接続状況（ランプ装着またはランプ未装着）を示すランプ検出信号を判定部２３に送出する回路である。
【００１６】
なお、ランプ検出部２４が出力するランプ検出信号は、放電灯４が接続されている場合に判定部２３にランプ装着を示す信号、あるいは放電灯４が接続されてない場合に判定部２３にランプ未装着を示す信号のようにいずれか一方の信号であってもよい
【００１７】
異常ランプ検出部２５は、放電灯４が寿命末期となるときにインダクタＬ２と始動用コンデンサＣ５が共振して正常点灯時よりも高い共振電圧が発生するのを検出（例えば放電灯４の両端電圧を検出し、この両端電圧が規定の電圧値以上になった場合など）して、判定部２３にランプ異常信号を送出する回路である。
【００１８】
判定部２３は、例えば、マイクロコンピュータ若しくはコンパレータ等が用いられ、ランプ検出信号及び異常ランプ信号を入力して、入力した信号に応じて、インバータ回路１３の発振状態を制御する発振信号または発振停止信号をインバータ制御回路２１に出力する。この判定部２３は、まず異常ランプ検出部２５から異常ランプ信号が入力されると、放電灯４が放電できない周波数、例えば放電灯４を予熱するときの予熱周波数までインバータ回路１３の発振周波数を変更する信号を所定時間（ランプ検出部がランプ有りと検出できるレベルまで結合コンデンサＣ４を充電する時間、例えば０．１ｍｓ〜０．５ｍｓ程度）出力し、その後、インバータ回路１３の発振を停止する発振停止信号を出力する。
【００１９】
次に放電灯点灯装置５の動作について説明する。
図３は、本実施の形態に係る放電灯点灯装置の主要部を示す図であり、図４は、結合コンデンサに流れる電流波形を示す図である。
【００２０】
放電灯点灯装置５に商用電源ＡＣが入力されると、整流回路１１で交流を整流し、昇圧回路にて整流した電圧を昇圧して、ほぼ一定の平滑電圧を生成する。生成された平滑電圧は、抵抗１３、インダクタＬ２、放電灯ＬＡのフィラメントＦ１、抵抗Ｒ１２、放電灯ＬＡのフィラメントＦ２を介して、結合コンデンサＣ４を充電する。
【００２１】
結合コンデンサＣ４が充電されると、ランプ検出部２４が充電された電圧を検出し、検出した電圧に基づいて、ランプ検出信号を判定部２３に出力する。判定部２３は、入力されるランプ検出信号がランプ装着を示す信号であるとき、インバータ回路１３を発振させる発振開始信号をインバータ制御回路２１に出力する。
【００２２】
インバータ制御回路２１は発振開始信号を入力すると、ＦＥＴ  Ｑ２、Ｑ３をスイッチングするスイッチング信号を出力し、ＦＥＴ  Ｑ２、Ｑ３を交互にＯＮ／ＯＦＦして発振する。
【００２３】
インバータ回路１３が発振開始し、ＦＥＴ  Ｑ２がＯＮ（ＦＥＴ  Ｑ３はＯＦＦ）すると、アクティブフィルタ回路１２から出力される昇圧電圧は、ＦＥＴ  Ｑ２のドレイン−ソース間、インダクタＬ５、放電灯４のフィラメントＦ１、始動用コンデンサＣ５、放電灯４のフィラメントＦ２、結合コンデンサＣ４のループで電流が流れ、結合コンデンサＣ４が充電される。
【００２４】
次に、ＦＥＴＱ３がＯＮ（ＦＥＴ  Ｑ２がＯＦＦ）すると、結合コンデンサＣ４に充電された電荷は、放電灯４のフィラメントＦ２、始動用コンデンサＣ５、放電灯４のフィラメントＦ１、インダクタＬ５、ＦＥＴ  Ｑ３のドレイン−ソース間のループで電流が流れ、結合コンデンサＣ４が放電される。
【００２５】
このとき、始動用コンデンサＣ５とインダクタＬ２が共振し共振電流が流れるため、放電灯の両端には高い電圧が発生する。この発生した電圧が点灯開始電圧を超えると放電を開始して、放電灯４が点灯する。
【００２６】
放電灯４が点灯すると、始動用コンデンサＣ５にも電流が流れるが、電流の大部分がフィラメントＦ１とフィラメントＦ２間で放電する。フィラメントＦ１からフィラメントＦ２に流れる電流を第１のランプ電流ＩＬ１、フィラメントＦ２からフィラメントＦ１に流れる電流を第２のランプ電流ＩＬ２という。
【００２７】
放電灯４が正常に点灯しているときは、第１のランプ電流ＩＬ１と第２のランプ電流ＩＬ２はほぼ等しく、結合コンデンサＣ４には、図４に示すように正負対称の電流が流れる。
【００２８】
次に放電灯４が寿命末期になったときの放電灯点灯装置５の動作について説明する。
【００２９】
図５は、ランプ異常（ランプが寿命末期になったとき）を検出したときにインバータ回路１３の発振を停止する場合を示すタイムチャートである。
【００３０】
はじめに、商用電源ＡＣをＯＮにしてから、放電灯４が寿命末期となり、正常な放電灯４に交換するまでの一連の動作について説明する。
【００３１】
商用電源ＡＣがＯＮ（時刻ｔ１）されると、アクティブフィルタ回路１２の平滑コンデンサＣ３に、電荷が充電される。その後、時刻ｔ２においてランプ検出部２４の動作により、放電灯４が接続されている場合は、判定部２３にランプ装着を示すランプ検出信号が送出されるため、インバータ制御回路２１が動作を開始して、放電灯４が点灯する。
【００３２】
時刻ｔ３において、ランプが点灯中に寿命末期を向かえ、ランプ電圧が上昇してくると、異常ランプ検出部２４より異常検出信号が送出され、判定部２３に入力される。
【００３３】
このため、判定部２３からインバータ制御回路２１に発振停止信号が入力されるため、インバータ制御回路２１が停止して保護状態（インバータ回路の発振停止状態）を継続する。一般的な放電灯点灯装置５には、この状態で放電灯４を交換した場合、商用電源ＡＣのＯＮ／ＯＦＦ操作を行わなくても自動的に再点灯するランプ交換リセット機能ＲＥがついている。この実施の形態では、時刻ｔ４において、保護状態中にランプ検出部２４からのランプ未装着を示すランプ検出信号が判定部２３に入力され、その後、時刻ｔ５においてランプ装着を示すランプ検出信号が入力された場合に、インバータ制御回路２１を再度動作（時刻ｔ６）させることによりランプ交換リセット機能ＲＥを実現している。
【００３４】
一般的に、放電灯４が寿命末期になった場合、片側のフィラメントＦ１（またはフィラメントＦ２）の電子放射物質が消耗され、放電灯は整流放電を行う。つまり、２本のフィラメントＦ１、Ｆ２のうち、どちらのフィラメントの電子放射物質が無くなったかで、結合コンデンサの電圧が増加する方向の整流放電（以下、整流放電１という。）または減少する方向の整流放電（以下、整流放電２という。）を行う。
【００３５】
（整流放電１）
まず、フィラメントＦ１のエミッタ物質が無くなった状態、つまり第２のランプ電流ＩＬ２が減少する場合について説明する。
【００３６】
図６は、本実施の形態に係る放電灯点灯装置の主要部を示す図であり、図７は、結合コンデンサに流れる電流波形を示す図である。
【００３７】
図６の放電灯４に流れる第１のランプ電流ＩＬ１、第２のランプ電流ＩＬ２の電流値の大きさを矢印の長さで図示している。
【００３８】
インバータ回路１３のＦＥＴ  Ｑ２がＯＮ（ＦＥＴ  Ｑ３がＯＦＦ）すると、アクティブフィルタ回路１２が出力する直流電圧が、ＦＥＴ  Ｑ２、インダクタＬ２、放電灯４を介して、結合コンデンサＣ４に電流が流れる。この結合コンデンサＣ４に流れる充電電流は、フィラメントＦ１からフィラメントＦ２に流れる第１のランプ電流ＩＬ１とほぼ等しくなる。
【００３９】
インバータ回路１３のＦＥＴ  Ｑ３がＯＮ（ＦＥＴ  Ｑ２がＯＦＦ）すると、結合コンデンサＣ４に充電されている電荷が、放電灯４、インダクタＬ２、ＦＥＴ  Ｑ３のループで電流が流れる。このとき、結合コンデンサＣ４に流れる放電電流は、フィラメントＦ２からフィラメントＦ１に流れる第２のランプ電流ＩＬ２とほぼ等しくなる。
【００４０】
整流放電１の状態では、フィラメントＦ２からは放電電流が流れ難いため、放電灯４に流れる電流は、第１のランプ電流ＩＬ１＞第２のランプ電流ＩＬ２の関係になる。
【００４１】
したがって、結合コンデンサＣ４に流れる電流には、図６に示すように正負非対称の電流が流れる。つまり、結合コンデンサＣ４に流れる電流は、０−ＰＥＡＫ電流が、電流ａ１（ｍＡ）分多くなるため、放電灯点灯装置５の回路の基準電圧に対して、結合コンデンサＣ４に充電される充電電圧は高くなる。
【００４２】
そのため、結合コンデンサＣ４に充電されている電圧は、放電灯４に流れる第１のランプ電流ＩＬ１が多くなるほど高い電圧になるため、ランプ検出部２４は、結合コンデンサＣ４に発生する電圧から放電灯４が接続されていることを検出することができる。
【００４３】
整流放電１の状態では、フィラメントＦ２からフィラメントＦ１に放電電流が流れ難くなるため、放電灯４の両端電圧は上昇する。異常ランプ検出部２５は、この上昇した放電灯４の両端電圧を検出して、判定部２３にランプ異常信号を出力する。
【００４４】
判定部２３は、異常ランプ信号を入力したとき、予熱周波数とする信号を所定時間（ランプ検出部がランプ有りと検出できるレベルまで結合コンデンサＣ４を充電する時間、例えば０．１ｍｓ〜０．５ｍｓ程度）インバータ制御回路２１に出力してインバータ回路１３の発振周波数を変更し、放電灯４を予熱状態（点灯していない状態）にする。
【００４５】
このとき、放電灯４が放電していないため、インダクタＬ２と始動用コンデンサＣ５は共振状態となり、結合コンデンサＣ４は正負対称の電流が流れ、結合コンデンサＣ４はランプ検出部２４が放電灯４の装着を検出できる電圧まで充電される。
【００４６】
したがって、ランプ検出部２４は放電灯４が装着されていることを検出し、ランプ検出信号を出力する。
【００４７】
判定部２３は、ランプ検出信号を入力するとともに、インバータ回路１３の発振停止信号をインバータ制御回路２１に出力して、インバータ回路１５の発振を停止させる。
【００４８】
インバータ回路１５の発振が停止したあと、抵抗Ｒ１３、インダクタＬ２、フィラメントＦ１、フィラメント検出抵抗Ｒ１２、フィラメントＦ２を介して、結合コンデンサＣ４が充電された状態を維持し、ランプ検出部２４は放電灯４が装着状態であると検出し続ける。
【００４９】
判定部２３は、商用電源ＡＣが遮断されるまたは放電灯４が脱着されるまで、インバータ回路１３の発振停止が継続するように動作している。
【００５０】
このインバータ回路１３の発振停止状態で放電灯４が外されると、フィラメントＦ１及びフィラメントＦ２がなくなる（抵抗Ｒ１３、インダクタＬ２、フィラメントＦ１、フィラメント検出抵抗Ｒ１２、フィラメントＦ２のループがなくなる）ため、結合コンデンサＣ４は充電されなくなる。
【００５１】
そのため、ランプ検出部２４は放電灯４が未装着状態であると検出し、判定部２３に未装着を示すランプ検出信号を出力する。
【００５２】
次に、放電灯４が装着されると、ランプ検出部２４は放電灯４が装着状態であると検出し、判定部２３に装着を示すランプ検出信号を出力する。判定部２３は、入力されるランプ検出信号が未装着を示す信号から装着を示す信号に変わると、継続していたインバータ回路１３の発振停止状態を解除して、インバータ回路１３の発振を開始させる発振信号を出力する。インバータ制御回路２１は、判定部２３からの発振信号に基づいてインバータ回路１３の発振を制御する。
【００５３】
このように放電灯４の寿命状態が整流放電１の状態のとき、図５に示すタイムチャートに従って、放電灯点灯装置５は動作する。
【００５４】
（整流放電２）
次に、フィラメントＦ２のエミッタ物質が無くなった状態、つまり第１のランプ電流ＩＬ１が減少する場合について説明する。
【００５５】
図８は、本実施の形態に係る放電灯点灯装置の主要部を示す図であり、図９は、結合コンデンサに流れる電流波形を示す図である。
【００５６】
図８の放電灯４に流れる第１のランプ電流ＩＬ１、第２のランプ電流ＩＬ２の電流値の大きさを矢印の長さで図示している。
【００５７】
インバータ回路１３のＦＥＴ  Ｑ２がＯＮ（ＦＥＴ  Ｑ３がＯＦＦ）すると、アクティブフィルタ回路１２が出力する直流電圧が、ＦＥＴ  Ｑ２、インダクタＬ２、放電灯４を介して、結合コンデンサＣ４に電流が流れる。この結合コンデンサＣ４に流れる充電電流は、フィラメントＦ１からフィラメントＦ２に流れる第１のランプ電流ＩＬ１に比べて減少する。
【００５８】
インバータ回路１３のＦＥＴ  Ｑ３がＯＮ（ＦＥＴ  Ｑ２がＯＦＦ）すると、結合コンデンサＣ４に充電されている電荷が、放電灯４、インダクタＬ２、ＦＥＴ  Ｑ３のループで電流が流れる。このとき、結合コンデンサＣ４に流れる放電電流は、フィラメントＦ２からＦ１に流れる第２のランプ電流ＩＬ２とほぼ等しくなる。
【００５９】
整流放電１の状態では、フィラメントＦ１からは放電電流が流れ難いため、放電灯４に流れる電流は、第１のランプ電流ＩＬ１＜第２のランプ電流ＩＬ２の関係になる。
【００６０】
したがって、結合コンデンサＣ４に流れる電流には、図９に示すように正負非対称の電流が流れる。つまり、結合コンデンサＣ４に流れる電流は、０−ＰＥＡＫ電流が、電流ａ２（ｍＡ）分少なくなるため、放電灯点灯装置５の回路の基準電圧に対して、結合コンデンサＣ４に充電される充電電圧は低くなる。
【００６１】
そのため、結合コンデンサＣ４に充電される電圧は、放電灯４に流れる第１のランプ電流ＩＬ１が少なくなるほど０Ｖに近づくため、ランプ検出部２４は、結合コンデンサＣ４に発生する電圧から放電灯４の接続を検出できなくなる場合がある。
【００６２】
まず、結合コンデンサＣ４に発生する電圧が放電灯４の接続が検出できない電圧であるときにランプ異常を検出してインバータ回路１３の発振を停止する従来の動作を説明する。
【００６３】
図１０は、従来の異常ランプ検出部がランプ異常を検出したときにインバータ回路の発振を停止する場合を示すタイムチャートである。
【００６４】
結合コンデンサＣ４の電圧が減少する方向の整流放電が生じた場合を説明すると、時刻ｔ４’において放電灯４が点灯中に寿命末期を迎え、ランプ電圧が上昇し、異常ランプ検出部２５より、異常検出信号が送出され、判定部２３に入力される。
【００６５】
このため、判定部２３からインバータ制御回路２１に発振停止信号が入力されるため、インバータ制御回路２１が停止する。このとき、結合コンデンサＣ４の電圧が極端に減少していた場合、ランプ検出部２４には、Ｌレベルの信号が入力され、ランプ未装着を示すランプ検出信号が判定部２３に入力される。
【００６６】
その後、インバータ回路１３の発振が停止していても、商用電源ＡＣがＯＮかつ放電灯４が接続されている状態であるため、平滑コンデンサＣ３から抵抗Ｒ１３、インダクタＬ２、フィラメントＦ１、フィラメント検出抵抗Ｒ１２、フィラメントＦ２のループで結合コンデンサＣ４が充電され、時刻ｔ７にランプ検出部２４にはＨレベルが入力され、判定部２３にランプ装着を示すランプ検出信号が入力（時刻ｔ７）される。その結果、時刻ｔ８のときにランプ交換リセット機能ＲＥが働き、再度放電灯４を点灯する。
【００６７】
このように、放電灯４が整流放電２の状態で寿命末期を迎えたときに、インバータ回路１３の発振をすぐに停止させると、時刻ｔ４’→ｔ７→ｔ８に示す動作を繰り返すことにより、フィラメントＦ１が断線するか、電源がＯＦＦされるまで、放電灯４が点滅し続ける現象が生じる恐れがある。
【００６８】
これに対し、ランプ異常を検出してから、所定時間インバータ回路１３の発振を継続してから、インバータ回路１３の発振を停止する本実施の形態の動作について説明する。
【００６９】
図１１は、本実施の形態における異常ランプ検出部がランプ異常を検出したときに、放電灯が放電維持できない周波数までインバータ回路の発振周波数を所定時間変更してから、インバータ回路の発振を停止する場合を示すタイムチャートである。
【００７０】
整流放電２の状態では、フィラメントＦ１からフィラメントＦ２に放電電流が流れ難くなるため、放電灯４のランプ電圧は上昇する。異常ランプ検出部２５は、この上昇した放電灯４のランプ電圧を検出して、判定部２３に検出した電圧値を出力している。
【００７１】
時刻ｔ４’において、放電灯４が寿命末期となり、結合コンデンサＣ４の電圧が減少する方向に整流放電が生じる。このとき、ランプ電圧が上昇し、異常ランプ検出部２５より、異常検出信号が送出され、判定部２３に入力される。
【００７２】
判定部２３は、異常ランプ検出部２５から検出した電圧値を入力し、基準電圧値と比較して、基準電圧値よりも高いときは、所定時間（ランプ検出部がランプ有りと検出できるレベルまで結合コンデンサＣ４を充電する時間、例えば０．１ｍｓ〜０．５ｍｓ程度）予熱周波数とする発振信号をインバータ制御回路２１に出力してインバータ回路１３の発振周波数を変更し、放電灯４を予熱状態（点灯していない状態）にする。
【００７３】
このとき、インダクタＬ２と始動用コンデンサＣ５は共振状態となり、結合コンデンサＣ４は正負対称の電流が流れるため、ランプ検出部２４は、放電灯４が装着されていることを検出（時刻ｔ９）して、判定部２３にランプ装着を示すランプ検出信号を出力する。
【００７４】
所定時間経過（時刻ｔ１０）して、インバータ回路１３の発振が停止したあと、抵抗Ｒ１３、インダクタＬ２、フィラメントＦ１、フィラメント検出抵抗Ｒ１２、フィラメントＦ２を介して、結合コンデンサＣ４が充電された状態を維持し、ランプ検出部２４は放電灯４が装着状態であると検出し続ける。
【００７５】
判定部２３は、商用電源ＡＣが遮断されるまたは放電灯４が脱着されるまで、インバータ回路１３の発振停止が継続するように動作している。
【００７６】
このインバータ回路１３の発振停止状態で放電灯４が外されると、フィラメントＦ１及びフィラメントＦ２がなくなる（抵抗Ｒ１３、インダクタＬ２、フィラメントＦ１、フィラメント検出抵抗Ｒ１２、フィラメントＦ２のループがなくなる）ため、結合コンデンサは充電されなくなる。
【００７７】
そのため、ランプ検出部２４は放電灯４が未装着状態であると検出し、判定部２３に未装着信号を出力する。
したがって、放電灯４を脱着したと誤検知することがないので、放電灯４が点滅し続けることを防止することができる。
【００７８】
次に、放電灯４が装着されると、ランプ検出部２４は放電灯４が装着状態であると検出し、判定部２３にランプ装着を示すランプ検出信号を出力する。判定部２３は、入力されるランプ検出信号が未装着を示す信号から装着を示す信号に変わると、継続していたインバータ回路１３の発振停止状態を解除して、インバータ回路１３の発振を開始させる発振信号を出力する。インバータ制御回路１５は、判定部２３からの発振信号に基づいてインバータ回路１３の発振を制御する。
【００７９】
このように、放電灯４が寿命末期になり整流放電２の状態になったとき、ランプ検出部２４は放電灯４が外されたと誤検出して、異常ランプ検出回路２５がランプ異常を検出したとき、インバータ回路１３の発振停止と発振開始を繰り返して放電灯が点滅状態となることない。
【００８０】
つまり、放電灯４が寿命末期になり、整流放電１または整流放電２の状態になったとき、ランプ検出部２４は放電灯４が外されたと誤検出することなく、確実に異常ランプ検出部２５がランプ異常を検出して、インバータ回路１３の発振停止状態を維持することができる。
【００８１】
なお、本実施の形態では、異常ランプ検出部２５がランプ異常を検出したとき、所定時間インバータ回路１３の発振を予熱周波数にする場合について説明したが、放電灯４が点灯（放電）しない周波数であれば、例えば、調光点灯可能な点灯周波数よりも高い周波数や点灯可能な点灯周波数よりも低い周波数などであればよく、予熱周波数に限定されない。
【００８２】
また、異常ランプ検出部２５がランプ異常を検出してからの所定時間とは、予め時間を設定してもよいし、判定部２３がランプ検出部２４の検出状態を放電灯４が装着されていることを検出（結合コンデンサＣ４に充電される電位がランプ装着と判別する基準電圧に達するとき）したときとしてもよい。
【００８３】
なお、フィラメント検出抵抗Ｒ１２と始動用コンデンサＣ５にも電流が流れるが、放電灯４が放電しているときは、放電灯４に流れる電流に対して、フィラメント検出抵抗Ｒ１２と始動用コンデンサＣ５に流れる電流は非常に小さいので、放電灯４が正常点灯、整流放電１及び整流放電２の状態における各回路の動作の説明では省略している。
【００８４】
また、本実施の形態では、ランプ異常を検出したときにインバータ回路１３の発振周波数を予熱周波数とする場合について説明したが、異常ランプが放電維持できないような共振の弱い周波数とすればよく、例えば正常に点灯する点灯周波数よりも高い周波数などであればよい。
【００８５】
実施例１．
図１２は、本実施の形態を示す実施例であり、異常ランプ検出部がランプ異常を検出したときの判別部の動作を示すフローチャート図である。
【００８６】
判定部２３にランプ異常信号が入力（ステップ１）されると、インバータ回路１３の発振周波数を変更する信号をインバータ制御回路２１に出力（ステップ２）し、所定時間になるまでこの状態を維持（ステップ３）する。
所定時間に達すると、インバータ回路１３の発振を停止する信号をインバータ制御回路２１に出力し、インバータ回路１３を発振停止（ステップ４）させ、ランプ検出信号を入力する。
なお、ステップ１〜ステップ４の動作中、ランプ検出信号を入力し続けているが、この間ランプ検出部２４がランプ未装着を検出しても、インバータ回路１３が発振しているため、ランプ交換リセット機能ＲＥは働かず、インバータ回路１３の発振が停止するステップ４以降に、ランプ検出部２４がランプ未装着を検出したときに、ランプ交換リセット機能ＲＥが働く。
このように、ランプ検出部２４がランプ装着を検出できる状態となってから、インバータ回路１３の発振を停止するので、ランプ交換リセット機能ＲＥが誤動作する恐れがない。
【００８７】
実施例２．
図１３は、本実施の形態を示す他の実施例であり、異常ランプ検出部がランプ異常を検出したときの判別部の動作を示す他のフローチャート図である。
【００８８】
判定部２３にランプ異常信号が入力（ステップ１）されると、インバータ回路１３の発振周波数を変更する信号をインバータ制御回路２１に出力（ステップ２）する。
【００８９】
次にランプ検出信号を入力（ステップ６）し、入力したランプ検出信号がランプ装着を示す信号か判別（ステップ７）する。
【００９０】
ステップ７で判別したランプ検出信号が、ランプ装着を示す信号であるときは、インバータ回路１３の発振を停止（ステップ４）し、ランプ検出信号を入力（ステップ５）する。
【００９１】
ステップ７で判別したランプ検出信号が、ランプ未装着を示す信号であるときは、予め設定されるタイムオーバー時間であるかを判別（ステップ８）し、タイムオーバー時間に達していないときは、ステップ６に移行し、タイムオーバー時間に達しているときは、ステップ４に移行する。
【００９２】
このように、ランプ検出部２４がランプ装着を検出していることを判別してからインバータ回路１３の発振を停止しているので、ランプ交換リセット機能ＲＥが誤動作する恐れがない。
【００９３】
また、タイムオーバー時間に達するまでは、ステップ６、ステップ７を繰り返すことで、ランプ検出部２４がランプ装着を検出したときにインバータ回路１３の発振を停止するようにしたので、ランプ異常を検出してから短い時間でインバータ回路１３の発振を停止することができる。
【００９４】
また、タイムオーバー時間に達すると、ランプ検出部２４がランプ装着を検出しなくてもインバータ回路１３の発振を停止させるようにしたので、異常ランプ検出部２５がランプ異常を検出してからインバータ回路１３の発振が停止されるまでに、ランプ検出部２４がランプ装着を検出できないような状態、例えばフィラメントＦ１またはフィラメントＦ２が断線する、あるいは放電灯４が外された場合などであっても、確実にインバータ回路１３の発振を停止させることができる。
【００９５】
実施の形態２．
本実施の形態は、実施の形態１と同じ回路構成であり、放電灯４の異常を検出したときの動作が異なるものである。本実施の形態において、実施の形態１と同じ構成については同一符号を付し、説明を省略する。
【００９６】
図１４は、異常ランプ検出部２５が放電灯４の異常を検出したときの動作を示すタイムチャート図である。
【００９７】
放電灯４が寿命末期となり整流放電２の状態（時刻ｔ４’）になったとき、結合コンデンサＣ４の電圧が減少する方向に整流放電が生じる。このとき、ランプ電圧は上昇し、異常ランプ検出部２５は異常検出信号を判定部２３へ送出する。
【００９８】
異常検出信号が判定部２３に入力されると、判定部２３はインバータ回路１３が発振しているｄｕｔｙ比を変更するｄｕｔｙ変更信号を出力する。
【００９９】
正常な放電灯４を点灯しているときなど、通常インバータ回路が発振しているｄｕｔｙ比は概略５０％で動作しているが、インバータ制御回路２１にｄｕｔｙ変更信号が入力されると、インバータ制御回路２１は、減少した結合コンデンサＣ４の電位を増加させる方向に、インバータ回路１３が発振しているｄｕｔｙ比を変化させる。ここでいう結合コンデンサＣ４の電位が増加する方向とは、ＦＥＴ  Ｑ３のＯＦＦ−ｄｕｔｙが増加する方向をいう。
【０１００】
インバータ回路１３の発振しているｄｕｔｙ比を変更して、結合コンデンサＣ４の電位が増加（時刻ｔ１１）し、ランプ検出部２４がランプ装着と判定できるレベル（時刻１１）に結合コンデンサＣ４の電位が充電されたところでインバータ回路１３の発振を停止（時刻１２）する。
【０１０１】
このように、ランプ検出部２４がランプ装着と判定できるレベルまで結合コンデンサＣ４の電位を充電してからインバータ回路１３の発振を停止しているので、ランプ検出部２４が誤ってランプ無しと検出することがなく、放電灯４が点滅し続けることを防止することができる。
【０１０２】
実施例３
図１５は、本実施の形態を示す実施例であり、異常ランプ検出部が放電灯の異常を検出したときの判別部の動作を示すフローチャート図である。
【０１０３】
判定部２３にランプ異常信号が入力（ステップ１）されると、インバータ回路１３が発振するｄｕｔｙ比を変更する信号をインバータ制御回路２１に出力（ステップ９）し、所定時間になるまでこの状態を維持（ステップ３）する。
【０１０４】
所定時間に達すると、インバータ回路１３の発振を停止する信号をインバータ制御回路２１に出力し、インバータ回路１３を発振停止（ステップ４）させ、ランプ検出信号を入力する。
【０１０５】
なお、ステップ１、ステップ９、ステップ３及びステップ４の動作中、ランプ検出信号を入力し続けているが、この間ランプ検出部２４がランプ未装着を検出しても、インバータ回路１３が発振しているため、ランプ交換リセット機能ＲＥは働かず、インバータ回路１３の発振が停止するステップ４以降に、ランプ検出部２４がランプ未装着を検出したときに、ランプ交換リセット機能ＲＥが働く。
【０１０６】
このように、ランプ検出部２４がランプ装着を検出できる状態となってから、インバータ回路１３の発振を停止するので、ランプ交換リセット機能ＲＥが誤動作する恐れがない。
【０１０７】
実施例４．
図１６は、本実施の形態を示す他の実施例であり、異常ランプ検出部がランプ異常を検出したときの判別部の動作を示す他のフローチャート図である。
【０１０８】
判定部２３にランプ異常信号が入力（ステップ１）されると、インバータ回路１３が発振しているｄｕｔｙ比を変更する信号をインバータ制御回路２１に出力（ステップ９）する。
【０１０９】
次にランプ検出信号を入力（ステップ６）し、入力したランプ検出信号がランプ装着を示す信号か判別（ステップ７）する。
【０１１０】
ステップ７で判別したランプ検出信号が、ランプ装着を示す信号であるときは、インバータ回路１３の発振を停止（ステップ４）し、ランプ検出信号を入力（ステップ５）する。
【０１１１】
ステップ７で判別したランプ検出信号が、ランプ未装着を示す信号であるときは、予め設定されるタイムオーバー時間であるかを判別（ステップ８）し、タイムオーバー時間に達していないときは、ステップ６に移行し、タイムオーバー時間に達しているときは、ステップ４に移行する。
【０１１２】
このように、ランプ検出部２４がランプ装着を検出していることを判別してからインバータ回路１３の発振を停止しているので、ランプ交換リセット機能ＲＥが誤動作する恐れがない。
【０１１３】
また、タイムオーバー時間に達するまでは、ステップ６、ステップ７を繰り返すことで、ランプ検出部２４がランプ装着を検出したときにインバータ回路１３の発振を停止するようにしたので、ランプ異常を検出してから短い時間でインバータ回路１３の発振を停止することができる。
【０１１４】
また、タイムオーバー時間に達すると、ランプ検出部２４がランプ装着を検出しなくてもインバータ回路１３の発振を停止させるようにしたので、異常ランプ検出部２５がランプ異常を検出してからインバータ回路１３の発振が停止されるまでに、ランプ検出部２４がランプ装着を検出できないような状態、例えばフィラメントＦ１またはフィラメントＦ２が断線する、あるいは放電灯４が外された場合などであっても、確実にインバータ回路１３の発振を停止させることができる。
【０１１５】
実施の形態３．
本実施の形態は、実施の形態１及び実施の形態２と同様の回路構成となっており、ランプ寿命の状態を判別するものである。本実施の形態において、実施の形態１及び実施の形態２と同じ構成については同一符号を付し、説明を省略する。
【０１１６】
放電灯点灯装置５に接続されている放電灯４が寿命になったとき、放電灯４の両端にかかるランプ電圧は上昇する。この上昇したランプ電圧を異常ランプ検出部２５が検出したとき、ランプ検出部２４が検出している電圧を判定部２３に入力する。ここで、判定部２３に入力された電圧がランプ有りと判別できる電圧値以上であるときは、整流放電１の状態であると判別し、ランプ無しと判別する電圧値であるときは、整流放電２の状態であると判別する。
【０１１７】
判定部２３が整流放電１であると判別したとき、インバータ回路１３の発振を停止する発振停止信号をインバータ制御回路２１に出力する。
【０１１８】
判定部２３が整流放電２であると判別したとき、インバータ回路１３の発振周波数を高い周波数（放電灯が点灯維持できない周波数）に移行する発振周波数変更信号をインバータ制御回路２１に出力する。
【０１１９】
結合コンデンサＣ４が充電され、ランプ検出部２４がランプ有りと検出すると、判定部２３はインバータ制御回路２１にインバータ回路１３の発振を停止させる発振停止信号を出力する。
【０１２０】
このように、異常ランプ検出部２５がランプ異常を検出したときのランプ検出部２４が検出している状態によって、放電灯４の寿命状態を判別することができ、放電灯４の寿命状態に応じて、インバータ回路１３の発振を停止させるタイミングを選択できる。
【０１２１】
この実施の形態では、実施の形態１で説明した整流放電１であると判別したとき、インバータ回路１３の発振周波数を変更することなくインバータ回路１３の発振を停止する場合について説明した。
【０１２２】
実施例５．
図１７は、本実施の形態を示す実施例であり、異常ランプ検出部が放電灯の異常を検出したときの判別部の動作を示すフローチャート図である。
【０１２３】
判定部２３にランプ異常信号が入力（ステップ１）されると、ランプ検出信号を入力（ステップ６）し、ランプ検出信号がランプ装着を示す信号であるかを判別（ステップ７）する。
【０１２４】
ステップ７で判別した信号がランプ装着を示す信号であるときは、インバータ回路１３の発振を停止（ステップ４）し、ランプ検出信号を入力する。
【０１２５】
つまり、ステップ７で判別した信号がランプ装着を示す信号であるときは、整流放電１であると判別して、インバータ回路１３の発振周波数を変更することなく、インバータ回路１３の発振を停止させる。
【０１２６】
ステップ７で判別した信号がランプ未装着を示す信号であるときは、インバータ回路１３の発振周波数を変更（ステップ２）し、所定時間が経過するまで継続（ステップ３）し、その後インバータ回路１３の発振を停止（ステップ４）させ、ランプ検出信号を入力（ステップ５）する。
【０１２７】
つまり、ステップ７で判別した信号がランプ未装着を示す信号であるときは、整流放電２であると判別して、インバータ回路１３の発振周波数を変更して、所定時間経過後にインバータ回路１３の発振を停止させる。
【０１２８】
このように、異常ランプ検出部２５がランプ異常を検出してから、ランプ検出部２４が出力する信号に基づいて、放電灯４の寿命状態（整流放電１または整流放電２）を判別するので、放電灯４の寿命状態が整流放電１であるときは、インバータ回路１３の発振を短時間で停止させることができ、また、整流放電２であるときは、インバータ回路１３の発振周波数を変更してからインバータ回路１３の発振を停止させるので、ランプ交換リセット機能ＲＥが誤動作することがない。
【０１２９】
実施例６．
図１８は、本実施の形態を示す他の実施例であり、異常ランプ検出部が放電灯の異常を検出したときの判別部の動作を示すフローチャート図である。
【０１３０】
本実施例は、実施例５のステップ７で判別した信号がランプ未装着を示す信号であるときの動作が異なっているため、実施例５と同様の動作の部分について説明を省略する。
【０１３１】
ステップ７で判別した信号がランプ未装着を示す信号であるときは、インバータ回路１３が発振しているｄｕｔｙ比を変更する信号をインバータ制御回路２１に出力（ステップ９）し、所定時間が経過するまで継続（ステップ３）し、その後インバータ回路１３の発振を停止（ステップ４）させ、ランプ検出信号を入力（ステップ５）する。
したがって、実施例５と同様の効果が得られる。
【０１３２】
実施例７．
図１９は、本実施の形態を示す他の実施例であり、異常ランプ検出部２５が放電灯４の異常を検出したときの判定部２３の動作を示すフローチャート図である。
【０１３３】
本実施例は、実施例５のステップ７で判別した信号がランプ未装着を示す信号であるときの動作が異なっているため、実施例５と同様の動作の部分について説明を省略する。
【０１３４】
ステップ７で判別した信号がランプ未装着を示す信号であるときは、インバータ回路１３の発振周波数を変更する信号をインバータ制御回路２１に出力（ステップ２）し、ランプ検出信号を入力（ステップ６ａ）し、入力した信号がランプ装着を示す信号であるかを判別（ステップ７ａ）し、ランプ装着を示す信号であるときは、インバータ回路１３の発振を停止（ステップ４）し、ランプ検出信号を入力（ステップ５）する。
【０１３５】
ステップ７ａで判別した信号がランプ未装着を示す信号であるときは、予め設定されるタイムオーバー時間に達しているかを判別（ステップ８）し、タイムオーバー時間に達していないときは、ステップ６ａ、ステップ７ａを繰り返し、タイムオーバー時間に達したときは、インバータ回路１３の発振を停止（ステップ４）させ、ランプ検出信号を入力（ステップ５）する。
【０１３６】
このように、実施例５と同様の効果が得られるとともに、ランプ検出部２４がランプ装着を検出していることを判別してからインバータ回路１３の発振を停止しているので、ランプ交換リセット機能ＲＥが誤動作する恐れがない。
【０１３７】
また、タイムオーバー時間に達するまでは、ステップ６ａ、ステップ７ａを繰り返すことで、ランプ検出部２４がランプ装着を検出したときにインバータ回路１３の発振を停止するようにしたので、ランプ異常を検出してから短い時間でインバータ回路１３の発振を停止することができる。
【０１３８】
また、タイムオーバー時間に達すると、ランプ検出部２４がランプ装着を検出しなくてもインバータ回路１３の発振を停止させるようにしたので、異常ランプ検出部２５がランプ異常を検出してからインバータ回路１３の発振が停止されるまでに、ランプ検出部２４がランプ装着を検出できないような状態、例えばフィラメントＦ１またはフィラメントＦ２が断線する、あるいは放電灯４が外された場合などであっても、確実にインバータ回路１３の発振を停止させることができる。
【０１３９】
実施例８．
図２０は、本実施の形態を示す他の実施例であり、異常ランプ検出部が放電灯の異常を検出したときの判別部の動作を示すフローチャート図である。
【０１４０】
実施例７は、ステップ７で判別した信号がランプ未装着を示す信号であるとき、インバータ回路１３の発振周波数を変更（ステップ２）する場合を説明したが、本実施例は、インバータ回路１３が発振しているｄｕｔｙ比を変更（ステップ９）する場合である。
【０１４１】
その他の動作は、実施例７と同様のため、同一の符号を付し、説明を省略する。
【０１４２】
なお、本実施の形態では、判定部２３が整流放電２であると判別したとき、インバータ回路１３の発振周波数を高い周波数（放電灯が点灯維持できない周波数）に移行する発振周波数変更信号をインバータ制御回路２１に出力する場合について説明したが、判定部２３が整流放電２であると判別したとき、インバータ回路１３が発振しているｄｕｔｙ比を変更するｄｕｔｙ比変更信号をインバータ制御回路２１に出力してもよい。
【０１４３】
実施の形態４．
本実施の形態は、実施の形態１〜３と同じ回路構成と同様の回路構成であり、放電灯の異常を検出したときの動作が異なるものである。本実施の形態において、実施の形態１〜３と同じ構成については同一符号を付し、説明を省略する。
【０１４４】
本実施の形態において、ランプ異常検出部が異常検出をしたときは、インバータ回路１３の発振を停止させ、所定時間（ランプ検出部がランプ有りと検出できるレベルまで結合コンデンサＣ４を充電する時間）経過後からランプ検出信号を読みに行く。
【０１４５】
この時点で、ランプ検出信号がランプ装着状態であるときはインバータ回路の発振停止状態を維持し、ランプ検出信号がランプ装着状態から未装着状態になり、その後装着状態となったとき、インバータ回路１３を発振開始させる処理を実施する。
【０１４６】
実施例１０．
図２１は、本実施の形態を示す実施例であり、異常ランプ検出部が放電灯の異常を検出したときの判別部の動作を示すフローチャート図である。
【０１４７】
ランプ異常信号が入力（ステップ１）されると、ランプ交換リセット機能ＲＥをＯＦＦ（無効）にし（ステップ１０）、インバータ回路１３の発振を停止（ステップ１１）する。インバータ回路１３の発振が停止してから所定時間が経過（ステップ１２）後、ランプ交換リセット機能ＲＥをＯＮ（有効）にし（ステップ１３）、ランプ検出信号を入力（ステップ５）する。
【０１４８】
なお、インバータ回路１３が発振停止し、所定時間経過後に読み込んだランプ検出信号がランプ未装着状態であるときは、インバータ回路１３の発振停止状態を維持しランプ未装着状態から装着状態になったときにランプ交換リセット機能ＲＥにより、インバータ回路１３の発振は開始される。
【０１４９】
実施例１１．
図２２は、本実施の形態を示す他の実施例であり、異常ランプ検出部が放電灯の異常を検出したときの判別部の動作を示すフローチャート図である。
【０１５０】
ランプ異常信号が入力（ステップ１）されると、ランプ交換リセット機能ＲＥをＯＦＦ（ステップ１０）にし、インバータ回路１３の発振を停止（ステップ１１）する。
【０１５１】
ランプ交換リセット機能ＲＥをＯＦＦにした後、ランプ検出信号を入力（ステップ６ｂ）し、入力されるランプ検出信号がランプ装着を示す信号であるかを判別（ステップ７ｂ）する。
【０１５２】
ステップ７ｂで判別したランプ検出信号がランプ装着を示す信号であるときは、ランプ交換リセット機能ＲＥをＯＮ（ステップ１３）にし、ランプ検出信号を入力（ステップ５）する。
【０１５３】
ステップ７ｂで判別したランプ検出信号がランプ未装着を示す信号であるときは、予め設定されるタイムオーバー時間に達しているかを判別（ステップ８ａ）し、タイムオーバー時間に達していないときはステップ６ｂ、ステップ７ｂを繰り返し、タイムオーバー時間に達したときは、ランプ交換リセット機能ＲＥをＯＮ（ステップ１３）にし、ランプ検出信号を入力（ステップ５）する。
【図面の簡単な説明】
【０１５４】
【図１】実施の形態１における照明器具の全体斜視図である。
【図２】実施の形態１における照明器具の点灯装置の回路ブロック図である。
【図３】実施の形態１における照明器具の点灯装置の回路ブロック図である。
【図４】実施の形態１における放電灯に流れる電流波形図である。
【図５】実施の形態１における点灯装置の動作を示すタイムチャートである。
【図６】実施の形態１における照明器具の点灯装置の回路ブロック図である。
【図７】実施の形態１における放電灯に流れる電流波形図である。
【図８】実施の形態１における照明器具の点灯装置の回路ブロック図である。
【図９】実施の形態１における放電灯に流れる電流波形図である。
【図１０】実施の形態１における点灯装置の動作を説明するための従来の動作を示すタイムチャートである。
【図１１】実施の形態１における点灯装置の動作を示すタイムチャートである。
【図１２】実施の形態１における判別部の動作を示すフローチャートである。
【図１３】実施の形態１における判別部の動作を示す他のフローチャートである。
【図１４】実施の形態２における照明器具の点灯装置の動作を示すタイムチャートである。
【図１５】実施の形態２における判別部の動作を示すフローチャートである。
【図１６】実施の形態２における判別部の動作を示す他のフローチャートである。
【図１７】実施の形態３における判別部の動作を示すフローチャートである。
【図１８】実施の形態３における判別部の動作を示す他のフローチャートである。
【図１９】実施の形態３における判別部の動作を示す他のフローチャートである。
【図２０】実施の形態３における判別部の動作を示す他のフローチャートである。
【図２１】実施の形態４における判別部の動作を示すフローチャートである。
【図２２】実施の形態４における判別部の動作を示す他のフローチャートである。
【符号の説明】
【０１５５】
１  照明器具、２  反射板、３  ランプソケット、４  放電灯、５  放電灯点灯装置、１１  整流回路、１２  アクティブフィルタ回路、１３  インバータ回路、１４  負荷回路、１５  インバータ制御部、２１  インバータ制御回路、２２  制御電源部、２３  判定部、２４  ランプ検出部、２５  異常ランプ検出部、ＡＣ  商用電源、ＤＢ  ダイオードブリッジ、Ｒ１〜Ｒ９、Ｒ１３、Ｒ１４  抵抗、Ｒ１０、Ｒ１１  制限抵抗、Ｒ１２  フィラメント検出抵抗、Ｃ１、Ｃ２  コンデンサ、Ｃ３  平滑コンデンサ、Ｃ４  結合コンデンサ、Ｃ５  始動用コンデンサ、Ｌ１  トランス、Ｌ２  インダクタ、Ｄ１  ダイオード、Ｑ１〜Ｑ３  ＦＥＴ、Ｆ１、Ｆ２  フィラメント、ＩＬ１、ＩＬ２  ランプ電流、ＲＥ  ランプ交換リセット機能。
【図１】
0005176504.tif 000002
【図２】
0005176504.tif 000003
【図３】
0005176504.tif 000004
【図４】
0005176504.tif 000005
【図５】
0005176504.tif 000006
【図６】
0005176504.tif 000007
【図７】
0005176504.tif 000008
【図８】
0005176504.tif 000009
【図９】
0005176504.tif 000010
【図１０】
0005176504.tif 000011
【図１１】
0005176504.tif 000012
【図１２】
0005176504.tif 000013
【図１３】
0005176504.tif 000014
【図１４】
0005176504.tif 000015
【図１５】
0005176504.tif 000016
【図１６】
0005176504.tif 000017
【図１７】
0005176504.tif 000018
【図１８】
0005176504.tif 000019
【図１９】
0005176504.tif 000020
【図２０】
0005176504.tif 000021
【図２１】
0005176504.tif 000022
【図２２】
0005176504.tif 000023